(57)【要約】【課題】ドレン水によるストレーナーの浮き上がりを確実に阻止することと、清掃時のストレーナーの取り外しを簡便に行えるようにすることという、相反する課題を同時に達成できるトラップを備えた冷蔵庫等の排水構造を得る。【解決手段】ドレンカップ１９とストレーナー２０との間にトラップ５１を形成する。ストレーナー２０の第１ストレーナー部４０は、第２ストレーナー部４１の周縁部から上向きに突設されて、庫本体１の下壁１７よりも上方に突出する複数の突片４９からなる。下壁１７またはドレンカップ１９と、ストレーナー２０との間に設けた保持構造は、下壁１７またはドレンカップ１９に設けた係止部５４と、ストレーナー２０に設けられて係止部５４と係合する掛止片５５とで構成する。ストレーナー２０の中心を間に挟んで対向する一対の突片４９を弾性変形可能に構成して、一対の突片４９にそれぞれ掛止片５５を設ける。【選択図】図１
2020003138.tif 000002
【特許請求の範囲】
【請求項１】
断熱箱体からなる庫本体（１）の下壁（１７）に設けられ、該下壁（１７）に固定されてドレン水を受け止めるドレンカップ（１９）と、ドレンカップ（１９）の内部に装着されてごみ等を捕捉するストレーナー（２０）とを備えており、
ドレンカップ（１９）と、該ドレンカップ（１９）に装着されたストレーナー（２０）との間に、庫外空気が庫内へと流れ込むのを阻止するトラップ（５１）が形成されており、
ストレーナー（２０）は、第１および第２のストレーナー部（４０・４１）を備え、第１ストレーナー部（４０）は、皿状に形成された第２ストレーナー部（４１）の周縁部から上向きに突設されて、庫本体（１）の下壁（１７）よりも上方に突出する複数の突片（４９）からなり、
庫本体（１）の下壁（１７）またはドレンカップ（１９）と、ストレーナー（２０）との間に、ストレーナー（２０）がドレンカップ（１９）から分離するのを阻止する保持構造が設けられており、
保持構造は、庫本体（１）の下壁（１７）またはドレンカップ（１９）に設けられる係止部（５４）と、ストレーナー（２０）に設けられて係止部（５４）と係合する掛止片（５５）とで構成されており、
少なくともストレーナー（２０）の中心を間に挟んで対向する一対の突片（４９）が弾性変形可能に構成されて、該一対の突片（４９）にそれぞれ掛止片（５５）が設けられていることを特徴とする冷蔵庫等の排水構造。
【請求項２】
ドレンカップ（１９）は、カップ底壁（２３）と、カップ底壁（２３）の周囲縁から上向きに伸びるカップ周壁（２４）とで上面が開口するカップ状に形成されたカップ部（２５）を備えており、
カップ部（２５）のカップ周壁（２４）の内周面に内向きに突出するように係止部（５４）が設けられ、弾性変形可能に構成された突片（４９）の外面に外向きに突出するように掛止片（５５）が設けられている請求項１に記載の冷蔵庫等の排水構造。
【請求項３】
ストレーナー（２０）は樹脂成形品からなり、
庫本体（１）は、金属板材からなる外箱（５）および内箱（６）と、両箱（５・６）間に充填される断熱材（７）とで構成されており、
ドレンカップ（１９）は、下壁（１７）を内外に貫通するように開口された貫通孔（１８）に固定されており、
内箱（６）における貫通孔（１８）の周縁部分に、外箱（５）側に折り曲げられた補強用の周回状の補強壁（５６）が形成されており、
補強壁（５６）を、ドレンカップ（１９）のカップ周壁（２４）の上側内部に挿入させることにより、補強壁（５６）がカップ周壁（２４）の内周面に内向きに突出する係止部（５４）を兼ねるように構成されている請求項２に記載の冷蔵庫等の排水構造。
【請求項４】
第２ストレーナー部（４１）は、ストレーナー底壁（４５）と、同底壁（４５）の周囲を囲む下すぼまり状のストレーナー周壁（４６）と、同周壁（４６）の上縁から外向きに張り出し形成されるフランジ座（４７）とで皿状に形成されており、
ストレーナー底壁（４５）の中央部に、上突湾曲状に膨出形成されたドーム部（４３）が設けられている請求項１から３のいずれか一つに記載の冷蔵庫等の排水構造。
【発明の詳細な説明】
【技術分野】
【０００１】
本発明は、冷蔵庫等の庫内で生じた結露水、除霜水、あるいは庫内洗浄水などのドレン水を庫外へ排水するための排水構造に関し、なかでも庫外空気が庫内へと逆流するのを阻止するトラップを備えた排水構造の改良に関する。
【背景技術】
【０００２】
この種の排水構造は、例えば特許文献１に公知である。特許文献１のショーケースでは、ドレンスクリーン（ストレーナー）とドレン受け部材と排水装置固定部材とで排水装置（排水構造）が構成されており、ドレンスクリーンとドレン受け部材との間にトラップが設けられている。ドレンスクリーンは円形籠状に形成されており、同スクリーンを構成するスクリーン本体の底壁外周端部には、係止爪が外向きに突出形成された複数の突出片が下向きに設けられている。係止爪は、排水装置固定部材に設けられた係止部に係合しており、これにより、短時間に大量のドレン水がトラップに流入した場合でも、ドレンスクリーンが浮き上がるのを阻止してトラップ機能が損なわれるのを防止している。係止部に対する係止爪の係合強度は、ドレン水によるドレンスクリーンの浮き上がりを阻止しつつ、手でドレンスクリーンを持ち上げたときに両者の係合が解除されて、排水装置固定部材からドレンスクリーンを取り外すことができる程度に設定されている。
【先行技術文献】
【特許文献】
【０００３】
【特許文献１】特開２００５−１６９０２号公報
【発明の概要】
【発明が解決しようとする課題】
【０００４】
特許文献１のショーケースの排水装置を構成する各部材は、その形成素材は明記されていないものの、各部材の形状を比較的容易に形成できる樹脂成形品で構成されていると推測できる。樹脂成形品からなるドレンスクリーンおよび排水装置固定部材においては、両者の成形誤差によって、係止部に対する係止爪の係合強度が所定の係合強度に対して大小に変化することが避けられない。そのため、当該係合強度が所定の係合強度より小さい場合には、ドレンスクリーンの取り外しはより簡便に行えるものの、ドレン受け部材で受けとめられたドレン水によりドレンスクリーンが浮き上がって排水装置固定部材との係合状態が解除され、トラップ機能が損なわれるおそれがある。逆に係合強度が所定の係合強度より大きい場合には、ドレンスクリーンの浮き上がりによりトラップの機能が損なわれるのを確実に防止できるが、係合強度が大きい分ドレンスクリーンの取り外しが困難となる。
【０００５】
本発明は、トラップ機能が損なわれるのを防止するために、ドレン水によるストレーナーの浮き上がりを確実に阻止することと、清掃時のストレーナーの取り外しを簡便に行えるようにすることという、相反する課題を同時に達成できるトラップを備えた冷蔵庫等の排水構造を得ることを目的とする。
【課題を解決するための手段】
【０００６】
本発明は、断熱箱体からなる庫本体１の下壁１７に設けられ、該下壁１７に固定されてドレン水を受け止めるドレンカップ１９と、ドレンカップ１９の内部に装着されてごみ等を捕捉するストレーナー２０とを備えている冷蔵庫等の排水構造を対象とする。ドレンカップ１９と、該ドレンカップ１９に装着されたストレーナー２０との間に、庫外空気が庫内へと流れ込むのを阻止するトラップ５１が形成されている。ストレーナー２０は、第１および第２のストレーナー部４０・４１を備え、第１ストレーナー部４０は、皿状に形成された第２ストレーナー部４１の周縁部から上向きに突設されて、庫本体１の下壁１７よりも上方に突出する複数の突片４９からなる。庫本体１の下壁１７またはドレンカップ１９と、ストレーナー２０との間に、ストレーナー２０がドレンカップ１９から分離するのを阻止する保持構造が設けられている。保持構造は、庫本体１の下壁１７またはドレンカップ１９に設けられる係止部５４と、ストレーナー２０に設けられて係止部５４と係合する掛止片５５とで構成されている。そして、少なくともストレーナー２０の中心を間に挟んで対向する一対の突片４９が弾性変形可能に構成されて、該一対の突片４９にそれぞれ掛止片５５が設けられていることを特徴とする。
【０００７】
ドレンカップ１９は、カップ底壁２３と、カップ底壁２３の周囲縁から上向きに伸びるカップ周壁２４とで上面が開口するカップ状に形成されたカップ部２５を備える。カップ部２５のカップ周壁２４の内周面に内向きに突出するように係止部５４を設け、弾性変形可能に構成された突片４９の外面に外向きに突出するように掛止片５５を設ける形態を採ることができる。
【０００８】
ストレーナー２０は樹脂成形品からなる。庫本体１は、金属板材からなる外箱５および内箱６と、両箱５・６間に充填される断熱材７とで構成する。ドレンカップ１９は、下壁１７を内外に貫通するように開口された貫通孔１８に固定する。内箱６における貫通孔１８の周縁部分に、外箱５側に折り曲げられた周回状の補強壁５６を形成する。補強壁５６を、ドレンカップ１９のカップ周壁２４の上側内部に挿入させることにより、補強壁５６がカップ周壁２４の内周面に内向きに突出する係止部５４を兼ねるように構成されている形態を採ることができる。
【０００９】
第２ストレーナー部４１は、ストレーナー底壁４５と、同底壁４５の周囲を囲む下すぼまり状のストレーナー周壁４６と、同周壁４６の上縁から外向きに張り出し形成されるフランジ座４７とで皿状に形成する。ストレーナー底壁４５の中央部に、上突湾曲状に膨出形成されたドーム部４３を設ける形態を採ることができる。
【発明の効果】
【００１０】
本発明に係る排水構造においては、ストレーナー２０の保持構造を、庫本体１の下壁１７またはドレンカップ１９に設けられる係止部５４と、ストレーナー２０に設けられて係止部５４と係合する掛止片５５とで構成した。また、少なくともストレーナー２０の中心を間に挟んで対向する第１ストレーナー部４０の一対の突片４９を弾性変形可能に構成して、該一対の突片４９にそれぞれ掛止片５５を設けた。こうした保持構造によれば、掛止片５５を係止部５４から離間させるように一対の突片４９をそれぞれ弾性変形させることにより、係止部５４に対する掛止片５５の係合が解除される。これにより、ストレーナー２０の浮き上がりを確実に阻止するため、係止部５４に対する掛止片５５の係合強度を成形誤差を考慮して大きく設定した場合でも、一対の突片４９を弾性変形させるだけの簡単な操作で両者５４・５５の係合状態を解除して、ドレンカップ１９からストレーナー２０を簡便に取り外すことができる。以上のように本発明によれば、トラップ５１の機能が損なわれるのを防止するために、ドレン水によるストレーナー２０の浮き上がりを確実に阻止することと、ストレーナー２０の取り外しを簡便に行えるようにすることという、相反する課題を同時に達成できる冷蔵庫等の排水構造を得ることができる。
【００１１】
ドレンカップ１９のカップ周壁２４の内周面に内向きに突出するように係止部５４を設け、弾性変形可能に構成された突片４９の外面に外向きに突出するように掛止片５５を設けた。こうした保持構造によれば、弾性変形可能な突片４９を近接させるように、換言すれば、弾性変形可能な突片４９を手指で内向きに摘まむように弾性変形させることで係止部５４に対する掛止片５５の係合を解除できる。従って、ワンタッチで両者５４・５５の係合を解除してドレンカップ１９からストレーナー２０を取り外すことができる。
【００１２】
内箱６における貫通孔１８の周縁部分に形成した周回状の補強壁５６を、ドレンカップ１９のカップ周壁２４の上側内部に挿入することにより、補強壁５６がカップ周壁２４の内周面に内向きに突出する係止部５４を兼ねるように構成した。これによれば、ストレーナー２０の着脱時における係止部５４と掛止片５５との接触による摩耗は、主として樹脂成形品からなるストレーナー２０側の掛止片５５で生じ、金属板材の補強壁５６からなる係止部５４の摩耗はほとんど生じない。そのため、長期の使用による摩耗により、両者５４・５５の係合強度が小さくなった場合でも、庫本体１側の交換が困難な係止部５４はそのままに、ストレーナー２０のみを新規なものに交換するだけで容易に保持構造の機能を回復させることができる。また、補強壁５６をドレンカップ１９の位置決め部材として利用できるので、貫通孔１８の適正な位置にドレンカップ１９を的確に固定することができる利点もある。
【００１３】
第２ストレーナー部４１は、ストレーナー底壁４５と、同底壁４５の周囲を囲む下すぼまり状のストレーナー周壁４６と、同周壁４６の上縁から外向きに張り出し形成されるフランジ座４７とで皿状に形成し、ストレーナー底壁４５の中央部に、上突湾曲状に膨出形成されたドーム部４３を設けた。こうしたストレーナー２０によれば、ストレーナー２０をドレンカップ１９から取り外すときに、皿状に形成された第２ストレーナー部４１でごみを取りこぼすことなく除去することができる。また、ストレーナー周壁４６とドーム部４３との間に形成される周回状の凹み部分に第２ストレーナー部４１で捕捉したごみを集積できるので、捕捉したごみをまとめて除去することができる利点もある。
【図面の簡単な説明】
【００１４】
【図１】本発明に係る排水構造の縦断側面図である。
【図２】本発明に係る排水構造を適用した冷蔵オープンショーケースの縦断側面図である。
【図３】排水構造を示す平面図である。
【図４】保持構造を示す拡大断面図である。
【図５】ストレーナーの縦断正面図である。
【図６】ストレーナーを取り外した状態を示す縦断側面図である。
【発明を実施するための形態】
【００１５】
（実施例）  図１から図６に本発明を冷蔵庫の一種である冷蔵オープンショーケースに適用した実施例を示す。本実施例における前後、左右、上下とは、図１から図３に示す交差矢印と、各矢印の近傍に表記した前後、左右、上下の表示に従う。図２において冷蔵オープンショーケースは、前面が開口する縦長直方体状の箱体からなるケース本体（庫本体）１を備えており、このケース本体１で囲まれる庫内が内ケース２で陳列室３と冷気循環通路４とに区画されている。ケース本体１は、金属板材からなる外箱５および内箱６と、両箱５・６の間に充填される断熱材７で断熱箱体として構成される。陳列室３の内部には複数段の陳列棚１０が設けられている。
【００１６】
冷気循環通路４は、陳列室３の上部前端に設けた下向きの吹出口１１と、陳列室３の下部前端に設けた上向きの吸込口１２との間に形成されており、その内部には蒸発器１３と、冷気循環用の送風ファン１４とが設置されている。吹出口１１から吹き出され吸込口１２へと吸い込まれる循環冷気は、陳列室３内を冷却しつつ、陳列室３の前面にエアカーテンを形成している。蒸発器１３は、図示していない外部ユニット内に設置された圧縮機、凝縮器、凝縮ファンなどと冷凍装置を構成しており、外部ユニット内の圧縮機および凝縮器と、蒸発器１３とは冷媒管路を介して接続されている。
【００１７】
陳列室３および冷気循環通路４で生じた結露水、蒸発器１３の着霜を融解除去した際の除霜水、あるいは冷蔵オープンショーケースの庫内洗浄水などのドレン水は、下方に流下してケース本体１の下壁１７で受止められる。図２に示すように、ドレン水を受け止める下壁１７の内箱６は、前部が後側に向かって下り傾斜し、後部が前側に向かって下り傾斜しており、その屈折部分に、ケース本体１を内外に貫通する貫通孔１８が開口されている。貫通孔１８は平面視において長円状に形成されており、該貫通孔１８には、ケース本体１の下壁１７で受止められたドレン水をケース本体１の外へと排水する排水構造が設けられている。本実施例の排水構造を構成する各部材の平面視における外郭形状は、貫通孔１８に相似する長円状に形成されている（図３参照）。
【００１８】
図１に示すように排水構造は、下壁１７に固定されてドレン水を受け止めるドレンカップ１９と、ドレンカップ１９の内部に装着されてごみ等を捕捉するストレーナー２０と、を備えている。ドレンカップ１９は樹脂成形品からなり、カップ底壁２３と、該カップ底壁２３の周囲縁から上向きに伸びるカップ周壁２４とで上面が開口するカップ状に形成されたカップ部２５と、該カップ部２５のカップ底壁２３から上向きに連出されて、上下面が開口する筒状のドレンパイプ２６を備えている。また、ドレンカップ１９は、カップ底壁２３から下向きに連出される筒状の接続パイプ２７を備えており、該接続パイプ２７には、エルボ２８を介して排水管２９が接続される。ドレンカップ１９で受止められドレンパイプ２６の上端開口から流下したドレン水は、エルボ２８および排水管２９を通って排水される。ドレンパイプ２６の中心軸と接続パイプ２７の中心軸は同軸上に配置されており、ドレンパイプ２６の内径は接続パイプ２７の内径よりも小さく形成されている。
【００１９】
本実施例の排水構造は、ケース本体１の貫通孔１８に固定されるカップホルダー３２を備えており、ドレンカップ１９は、該カップホルダー３２を介して下壁１７に固定されている。カップホルダー３２は樹脂成形品からなり、ホルダー周壁３３と、該ホルダー周壁３３の上下端にそれぞれ外向きに張出し形成される一対の固定フランジ３４・３４とを備えている。上側の固定フランジ３４は、内箱６の形状に対応するように側面視においてＶ字を呈するリング状に形成されており、下側の固定フランジ３４は、平板なリング状に形成されている。カップホルダー３２は、上下の固定フランジ３４・３４をそれぞれ貫通孔１８の周縁部における内箱６の下面、および外箱５の上面に接着することにより、ケース本体１に固定されている。
【００２０】
図１および図４に示すように、ホルダー周壁３３の内面の上下中途部には、先のストレーナー２０を支持するリング状の支持座３５が内向きに突設されている。支持座３５の突出端には下向きに伸びる周回状の連結壁３６が設けられており、ホルダー周壁３３と連結壁３６との間に、下向きに開口する連結溝３７が形成されている。該連結溝３７に、ドレンカップ１９のカップ周壁２４の上端部を差込み接着することにより、カップホルダー３２とドレンカップ１９とが一体に連結される。本実施例のドレンカップ１９は、ホルダー周壁３３の上下中途部に形成された連結溝３７に差込み連結されているため、ドレンカップ１９のカップ部２５の上端は、貫通孔１８上側開口部分には至っていない。そのため、カップホルダー３２はドレンカップ１９の一部を構成して、ホルダー周壁３３の上半部がカップ部２５のカップ周壁２４を兼ねている。
【００２１】
ストレーナー２０は樹脂成形品からなり、比較的大きなごみを捕捉する第１ストレーナー部４０と、比較的小さなごみを捕捉する第２ストレーナー部４１と、トラップキャップ４２とを備えている。図３および図５に示すようにトラップキャップ４２は、上突湾曲状のドーム壁（ドーム部）４３と、ドーム壁４３の周縁部から下向きに伸びる周回状のキャップ壁４４とで下面が開口する逆カップ状に形成されている。第２ストレーナー部４１は、ストレーナー底壁４５と、同底壁４５の周囲を囲む下すぼまり状のストレーナー周壁４６と、同周壁４６の上縁から外向きに張り出し形成されるフランジ座４７とで皿状に形成されている。先のドーム壁４３は、ストレーナー底壁４５の中央部において、同底壁４５の一部を構成している。ストレーナー底壁４５、ストレーナー周壁４６、およびフランジ座４７には、厚み方向に貫通する一群のスリット状の通水開口４８が形成されている。
【００２２】
上記のように、皿状に形成された第２ストレーナー部４１によれば、ストレーナー２０をドレンカップ１９から取り外すときに、ごみを取りこぼすことなく除去することができる。また、ドーム壁４３がストレーナー底壁４５の一部を構成するようにし、ストレーナー周壁４６を下すぼまり状に形成することにより、ストレーナー周壁４６とドーム壁４３との間に形成される周回状の凹み部分に第２ストレーナー部４１で捕捉したごみを集積できるので、捕捉したごみをまとめて除去することができる利点もある。
【００２３】
図４に示すように第１ストレーナー部４０は、第２ストレーナー部４１の周縁部から上向きに突設される複数の突片４９からなり、本実施例では、１０個の帯板状の突片４９がフランジ座４７の外側周縁部に均等に分散配置されている（図３参照）。各突片４９は、ストレーナー２０の内外方向に弾性変形可能に構成されている。トラップキャップ４２のドーム壁４３には、ストレーナー２０をドレンカップ１９に装着する際に手指で摘まむためのつまみ片５０が上向きに突設されている。
【００２４】
図１および図４に示すようにストレーナー２０は、そのフランジ座４７が先のカップホルダー３２の支持座３５で受止められることによりドレンカップ１９に装着される。ストレーナー２０をドレンカップ１９の内部に装着した状態においては、トラップキャップ４２がドレンパイプ２６に被さり、ドレンパイプ２６の上部とキャップ壁４４の下部が２重筒状に重なって、ドレンパイプ２６とトラップキャップ４２との間にトラップ５１が形成される。該トラップ５１により、排水管２９内（庫外）の空気が陳列室３（庫内）へと流れ込むのを阻止する。また、第１ストレーナー部４０を構成する突片４９のそれぞれは、貫通孔１８の周囲における下壁１７の上面よりも上方に突出している。これにより、ドレン水は隣り合う一対の突片４９・４９どうしの間を流れ落ちてドレンカップ１９に至るが、比較的大きなごみは１個の突片４９、または隣り合う突片４９・４９で捕捉される。また、第１ストレーナー部４０で捕捉されなかった比較的小さなごみは、第２ストレーナー部４１で捕捉される。
【００２５】
上記のように、第１および第２のストレーナー部４０・４１は、比較的小さなごみを捕捉する第２ストレーナー部４１の外側周囲に、比較的大きなごみを捕捉する第１ストレーナー部４０を設けるように構成したので、第１ストレーナー部４０に大きなごみが引っ掛かり、第２ストレーナー部４１の通水開口４８が目詰まりするのを抑制できる。これにより、本実施例のストレーナー２０によれば、ドレン水に含まれる大小のごみを第１および第２のストレーナー部４０・４１で的確に捕捉しつつ、ドレン水を確実に排水することができる。また、円形籠状に形成された従来のドレンスクリーン（ストレーナー）では、スクリーン内部に入り込んで引っ掛かったごみを除去するのに多くの手間が掛かる。しかし、本実施例のストレーナー２０では、外側に設けられた第１ストレーナー部４０は複数の突片４９からなるため、第２ストレーナー部４１へアクセスしやすく、従って、第２ストレーナー部４１で捕捉されたごみの除去を容易に行うことができる。
【００２６】
大量のドレン水がドレンカップ１９に流れ込んだ際にストレーナー２０が浮き上がり、トラップ５１の機能が損なわれるのを防止するため、ストレーナー２０がドレンカップ１９から分離するのを阻止する保持構造が設けられている。保持構造は、ケース本体１の下壁１７またはドレンカップ１９に設けられる係止部５４と、ストレーナー２０に設けられて係止部５４に掛け止められる掛止爪（掛止片）５５とで構成される。本実施例の係止部５４は、ケース本体１の下壁１７に設けられている。
【００２７】
具体的には、内箱６の屈折部分を補強するために、内箱６における貫通孔１８の周縁部分が下向き（外箱５側）に折り曲げられて、周回状の補強壁５６が形成されている。該補強壁５６を、ホルダー周壁３３（ドレンカップ１９のカップ周壁２４）の上側内部に密着状に挿入することにより、補強壁５６がホルダー周壁３３の内周面に内向きに突出する係止部５４を兼ねるようにした。補強壁５６は、内箱６となる金属板材にプレス装置で貫通孔１８用の下孔を打抜き形成したのち、該下孔の周縁にさらにプレス装置によりバーリング加工を施して形成される。なお、補強壁５６は、カップホルダー３２を貫通孔１８部分に固定する際の位置決め部材として機能しており、補強壁５６をホルダー周壁３３の内部に差込むことにより、貫通孔１８の適正な位置にカップホルダー３２（ドレンカップ１９）を的確に固定することができる。
【００２８】
掛止爪５５は、ストレーナー２０の中心を間に挟んで対向する一対の突片４９・４９にそれぞれ設けられる。図１および図３に示すように、本実施例の掛止爪５５は略横臥二等辺三角形状に形成されており、ストレーナー２０の左右中央に位置する前後の突片４９・４９の基端寄りの外面に外向きに突出するように設けられている。ストレーナー２０の装着状態においては、掛止爪５５は係止部５４に対して僅かな隙間を介して係合している（図４参照）。上記保持構造により、短時間に大量のドレン水がドレンカップ１９に流入してストレーナー２０が浮き上がった場合でも、掛止爪５５が係止部５４に当接した時点で浮き上がりが阻止され、トラップ５１の機能が損なわれることがない。なお、本実施例では係止部５４と掛止爪５５との間に僅かな隙間を設けてあるが、当該隙間は、ドレンパイプ２６とトラップキャップ４２の重なり量よりも小さく設定されているので、掛止爪５５と係止部５４とが当接するまでストレーナー２０が浮き上がった場合でも、トラップ５１の機能は維持される。
【００２９】
ドレンカップ１９からストレーナー２０を取り外して清掃等を行う場合には、まず、第１ストレーナー部４０で捕捉された比較的大きなごみを除去する。次いで、掛止爪５５を備えた一対の突片４９・４９の、下壁１７の上面よりも上方に突出した部分を、親指と人差し指とで摘まむようにして、両突片４９・４９を内向きに弾性変形させる。このとき、図４に二点鎖線で示すように、ストレーナー２０を持ち上げる際、係止部５４に接当しない位置まで掛止爪５５を退避させる。この状態のままストレーナー２０を上方に持ち上げることにより、図６に示すようにドレンカップ１９からストレーナー２０を取り外すことができる。
【００３０】
以上のように、本実施例に係る排水構造においては、ストレーナー２０の保持構造を、ケース本体１の下壁１７に設けた係止部５４と、ストレーナー２０に設けられて係止部５４と係合する掛止爪５５とで構成した。また、少なくともストレーナー２０の中心を間に挟んで対向する第１ストレーナー部４０の一対の突片４９を弾性変形可能に構成して、該一対の突片４９にそれぞれ掛止爪５５を設けた。こうした保持構造によれば、掛止爪５５を係止部５４から離間させるように一対の突片４９をそれぞれ弾性変形させることにより、係止部５４に対する掛止爪５５の係合が解除される。これにより、ストレーナー２０の浮き上がりを確実に防止するため、係止部５４に対する掛止爪５５の係合強度を成形誤差を考慮して大きく設定した場合でも、一対の突片４９を弾性変形させるだけの簡単な操作で両者５４・５５の係合状態を解除して、ドレンカップ１９からストレーナー２０を簡便に取り外すことができる。以上のように本実施例によれば、トラップ５１の機能が損なわれるのを防止するために、ドレン水によるストレーナー２０の浮き上がりを確実に阻止することと、ストレーナー２０の取り外しを簡便に行えるようにすることという、相反する課題を同時に達成できる冷蔵庫等の排水構造を得ることができる。
【００３１】
ドレンカップ１９のカップ周壁２４の内周面に内向きに突出するように係止部５４を設け、弾性変形可能に構成された突片４９の外面に外向きに突出するように掛止爪５５を設けた。こうした保持構造によれば、一対の突片４９を近接させるように、換言すれば、一対の突片４９を２本の手指で内向きに摘まむように弾性変形させることで係止部５４に対する掛止爪５５の係合を解除できる。従って、ワンタッチで両者５４・５５の係合を解除してドレンカップ１９からストレーナー２０を取り外すことができる。
【００３２】
内箱６における貫通孔１８の周縁部分に形成した補強壁５６を、カップ部２５の上側内部に侵入させ係止部５４とした構成によれば、ストレーナー２０の着脱時における係止部５４と掛止爪５５との接触による摩耗は、主として樹脂成形品からなるストレーナー２０側の掛止爪５５で生じ、金属板材の補強壁５６からなる係止部５４の摩耗はほとんど生じない。そのため、長期の使用による接触摩耗により、両者５４・５５の係合強度が小さくなった場合でも、ケース本体１側の交換が困難な係止部５４はそのままに、ストレーナー２０のみを新規なものに交換するだけで容易に保持構造の機能を回復させることができる。
【００３３】
上記の実施例では、ドレンカップ１９はカップホルダー３２を介して下壁１７に固定したが、カップホルダー３２は省略することができる。この場合には、カップ部２５のカップ周壁２４の上下寸法を大きくし、カップホルダー３２の上下の固定フランジ３４・３４に相当する一対のフランジ部をカップ周壁２４の外面に外向きに張出し形成する。また、支持座３５に相当する座部をカップ周壁２４の内面に内向きに張出し形成する。係止部５４は内箱６の補強壁５６に限らず、カップ部２５のカップ周壁２４またはカップホルダー３２のホルダー周壁３３の内面に内向きに突起を形成して、該突起を係止部５４とすることができる。掛止片５５は２個以上の突片４９に形成することもできる。また、隣り合う突片４９・４９の上端同士は連結されていてもよい。また本発明は、上記実施例で示した冷蔵オープンショーケースの他に、冷凍オープンショーケース、冷蔵および冷凍クローズドショーケース、冷蔵庫、冷凍庫、自動製氷機、急速冷却庫などの排水構造に適用することができる。
【符号の説明】
【００３４】
１  庫本体（ケース本体）
５  外箱
６  内箱
７  断熱材
１７  下壁
１８  貫通孔
１９  ドレンカップ
２０  ストレーナー
２３  カップ底壁
２４  カップ周壁
２５  カップ部
４０  第１ストレーナー部
４１  第２ストレーナー部
４３  ドーム部（ドーム壁）
４５  ストレーナー底壁
４６  ストレーナー周壁
４７  フランジ座
４９  突片
５１  トラップ
５４  係止部
５５  掛止片（掛止爪）
５６  補強壁
【図１】
2020003138.tif 000003
【図２】
2020003138.tif 000004
【図３】
2020003138.tif 000005
【図４】
2020003138.tif 000006
【図５】
2020003138.tif 000007
【図６】
2020003138.tif 000008